(57)【要約】【課題】簡易な構成で、伝送区間における伝送信号の伝送遅延時間を測定できるようにする。【解決手段】放送局１００ＡのＴＳ−ＴＥＳＴ信号生成装置１０２にてＧＰＳ受信機１０１から得られる１ｐｐｓ信号の周期タイミングとフレーム先頭との時間差が１ｐｐｓ信号の時間長とフレーム長との最小公倍数に相当する単位期間内で一意に決まるＴＳを生成してＯＦＤＭ変調装置１０３にてＴＳをＯＦＤＭ信号に変調させ、受信側測定装置２００Ａの遅延測定装置２０５により受信したＴＳから単位期間内のフレームを特定し、その特定フレームとＧＰＳ受信機２０１から得られる１ｐｐｓ信号の周期タイミングとの時間差を測定する。以後、遅延測定装置２０５では、測定した時間差と、既知の時間差との差分を求めることで、ＯＦＤＭ信号の遅延時間を求める。【選択図】　　図１
2004104237.tif 000002
【特許請求の範囲】
【請求項１】
送信側で変調部にてフレーム構造の伝送信号を変調して伝送路へ送出し、受信側で前記伝送路からの変調信号を受信し復調部にて復調出力する伝送システムに用いられ、
前記送信側は、
前記伝送信号のフレーム長とは異なる時間長の一定周期の基準信号を取得する第１の基準信号取得手段と、
この第１の基準信号取得手段で取得された基準信号と前記伝送信号のフレーム長との最小公倍数に相当する期間を単位期間とし、この単位期間内でフレーム毎に互いに異なるように周期的に変化して、基準信号の周期タイミングと各フレーム先頭との時間差が一意に決まる伝送信号を生成して前記変調部に供給する伝送信号生成手段とを備え、
前記受信側は、
前記第１の基準信号取得手段で取得される基準信号と同一の基準信号を取得する第２の基準信号取得手段と、
前記復調部によって得られる前記伝送信号から前記単位期間とその単位期間内のフレームを特定するフレーム特定手段と、
このフレーム特定手段で特定された単位期間内の各フレーム先頭と前記第２の基準信号取得手段で得られる基準信号の周期タイミングとの時間差を測定する測定手段と、
この測定手段で測定された時間差と前記伝送信号の生成時に得られる既知の時間差との差分を演算することで伝送遅延時間を求める演算手段とを備えることを特徴とする伝送遅延時間測定システム。
【請求項２】
前記第１及び第２の基準信号取得手段は、衛星測位システムの衛星から送られる信号に基づいて基準信号を生成することを特徴とする請求項１記載の伝送遅延時間測定システム。
【請求項３】
送信側で変調部にてフレーム構造の伝送信号を変調して伝送路へ送出し、受信側で前記伝送路からの変調信号を受信する伝送システムに用いられ、
前記送信側は、
前記伝送信号のフレーム長とは異なる時間長の基準クロックで計時される基準時刻情報を取得する第１の基準時刻情報取得手段と、
この第１の基準時刻情報取得手段で取得された基準時刻情報と前記伝送信号のフレーム長との最小公倍数に相当する期間を単位期間とし、この単位期間内でフレーム毎に互いに異なるように周期的に変化して、基準時刻情報の周期タイミングと各フレーム先頭との時間差が一意に決まる伝送信号を生成して前記変調部に供給する第１の伝送信号生成手段とを備え、
前記受信側は、
前記第１の基準時刻情報取得手段で取得される基準時刻情報と同一の基準時刻情報を取得する第２の基準時刻情報取得手段と、
この第２の基準時刻情報取得手段で取得された基準時刻情報を用いて前記第１の伝送信号生成手段で生成される伝送信号と同一の伝送信号を生成する第２の伝送信号生成手段と、
この第２の伝送信号生成手段で生成された伝送信号を変調し、この変調出力を遅延量が既知の基準伝送路に通して出力する基準変調信号出力手段と、
前記伝送路からの変調信号と前記基準変調信号出力手段で得られる信号と合成し、その合成信号をスペクトラム上または遅延プロファイル上で観測することにより、伝送遅延時間を測定する測定手段とを備えることを特徴とする伝送遅延時間測定システム。
【請求項４】
前記第１及び第２の基準時刻情報取得手段は、衛星測位システムの衛星から送られる信号に基づいて基準時刻情報を生成することを特徴とする請求項３記載の伝送遅延時間測定システム。
【発明の詳細な説明】
【０００１】
【発明の属する技術分野】
この発明は、例えばＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）方式によるデジタル放送等のＯＦＤＭ信号を伝送する場合に、伝送区間におけるＯＦＤＭ信号の伝送遅延を測定するための伝送遅延時間測定システムに関する。
【０００２】
【従来の技術】
近時、地上波におけるデジタルテレビジョン放送の標準方式（ＩＳＤＢ−Ｔ）が決定され、実用化に向けて種々の開発が進められている。特に、欧州と日本においては直交周波数分割多重（以下、ＯＦＤＭという）方式が伝送方式として採用されることが決定され、特に欧州においては規格化が完了し実用レベルに達している。このＯＦＤＭ方式は、広帯域信号を互いに直交する多数の搬送波（以下、キャリアという）で伝送することにより、地上テレビジョン放送において必須の伝送条件であるマルチパス伝搬路における耐遅延干渉特性を改善できる等の特徴がある。
【０００３】
ところで、地上デジタルテレビジョン放送にあっては、互いに離れた複数の地点に設置された送信局または中継局からＯＦＤＭ信号を送信する単一周波数網（ＳＦＮ：Ｓｉｎｇｌｅ　Ｆｒｅｑｕｅｎｃｙ　Ｎｅｔｗｏｒｋ）を構成することが予定されている。この場合、受信側で複数局からのＯＦＤＭ信号を受信すると、各信号間で遅延が生じることがある。このため、受信側において、各ＯＦＤＭ信号の遅延量を許容範囲内に抑えるために、該遅延量を正確に測定する必要が生じる。
【０００４】
図３は、伝送遅延量を測定するためのシステム構成を示すブロック図である。
図３において、符号１１は基準信号として基準時刻、基準クロックを生成する基準信号源で、この基準信号源１１で生成される基準信号は、ＴＳ−ＴＥＳＴ信号生成装置１２、ＯＦＤＭ変調装置１３、遅延部１４、伝送部１５、基準ＯＦＤＭ変調装置１６及び基準伝送部１７に供給され、それぞれの信号処理に供される。
【０００５】
ＴＳ−ＴＥＳＴ信号生成装置１２は、基準信号に基づいて測定用のＴＳ（トランスポートストリーム、以下ＴＳ−ＴＥＳＴ信号と称する）を生成するもので、その出力はＯＦＤＭ変調装置１３及び基準ＯＦＤＭ変調装置１６に送られる。ＯＦＤＭ変調装置１３は、ＴＳ−ＴＥＳＴ信号生成装置１２の出力を所定モードのサブキャリアに順次割り当て、ＩＦＦＴ（逆高速フーリエ変換）処理により周波数領域から時間軸領域に変換してＯＦＤＭ信号を生成するもので、ここで得られたＯＦＤＭ信号は遅延部１４で直交変調、周波数変換等の信号処理による遅延が与えられた後、伝送部１５を介して受信側の加算部１８に供給される。
【０００６】
また、基準ＯＦＤＭ変調装置１６で生成された基準ＯＦＤＭ信号は、基準伝送部１７を介して加算部１８に供給される。加算部１８は、ＯＦＤＭ信号と基準ＯＦＤＭ信号とを加算し、その加算結果をスペクトラムアナライザ／遅延プロファイル測定装置１９に出力する。スペクトラムアナライザ／遅延プロファイル測定装置１９は、加算部１８の加算出力をスペクトラム分析し、この分析結果に基づいてＯＦＤＭ信号の遅延時間を測定する。
【０００７】
しかしながら、上記構成では、遅延量が既知のＯＦＤＭ変調装置１３が必ず必要な点、基準ＯＦＤＭ変調装置１６とスペクトラムアナライザ／遅延プロファイル測定装置１９とが場所として離れている場合に、基準ＯＦＤＭ変調装置１６への入力信号を基準伝送部１７が既知の遅延量となる地点まで伝送し、基準側のトータルの遅延量を既知とする必要が生じる。
【０００８】
【発明が解決しようとする課題】
以上述べたように、地上デジタルテレビジョン放送において、従来では伝送区間におけるＯＦＤＭ信号の遅延時間を測定するための有効な手段がなかった。　そこで、この発明の目的は、簡易な構成で、伝送区間における伝送信号の伝送遅延時間を容易に測定し得る伝送遅延時間測定システムを提供することにある。
【０００９】
【課題を解決するための手段】
この発明は、上記目的を達成するために、以下のように構成される。
（１）送信側で変調部にてフレーム構造の伝送信号を変調して伝送路へ送出し、受信側で伝送路からの変調信号を受信し復調部にて復調出力する伝送システムに用いられ、送信側は、伝送信号のフレーム長とは異なる時間長の一定周期の基準信号を取得する第１の基準信号取得手段と、この第１の基準信号取得手段で取得された基準信号と伝送信号のフレーム長との最小公倍数に相当する期間を単位期間とし、この単位期間内でフレーム毎に互いに異なるように周期的に変化して、基準信号の周期タイミングと各フレーム先頭との時間差が一意に決まる伝送信号を生成して変調部に供給する伝送信号生成手段とを備え、受信側は、第１の基準信号取得手段で取得される基準信号と同一の基準信号を取得する第２の基準信号取得手段と、復調部によって得られる伝送信号から単位期間とその単位期間内のフレームを特定するフレーム特定手段と、このフレーム特定手段で特定された単位期間内の各フレーム先頭と第２の基準信号取得手段で得られる基準信号の周期タイミングとの時間差を測定する測定手段と、この測定手段で測定された時間差と伝送信号の生成時に得られる既知の時間差との差分を演算することで伝送遅延時間を求める演算手段とを備えるようにしたものである。
【００１０】
（１）の発明によれば、送信側で基準信号とフレーム長との最小公倍数に相当する単位期間内で基準信号の周期タイミングと各フレーム先頭との時間差が一意に決まる伝送信号が生成され、この伝送信号が変調部によって変調され、この変調信号が伝送路を介して受信側に送出される。受信側では送信側と同一タイミングの基準信号が取得されるとともに、伝送路からの変調信号を復調部により復調された伝送信号の単位期間とその単位期間内のフレームが特定され、この特定された単位期間内の各フレーム先頭と基準信号の周期タイミングとの時間差が測定される。以後、測定された時間差つまり伝送路の遅延を含む時間差と、伝送信号の生成時に得られる既知の時間差との差分を求めることで、送信側から受信側へ伝送される伝送信号の遅延時間が求められる。従って、特別な測定器を用いることなく、受信側では送信側と同一の基準信号を取得し、伝送信号の単位期間内のフレームを特定するだけで、容易に伝送信号の伝送遅延時間を測定することができる。
【００１１】
（２）第１及び第２の基準信号取得手段は、衛星測位システムの衛星から送られる信号に基づいて基準信号を生成することを特徴とする。
（２）の発明によれば、送信側と受信側において、ＧＰＳ（Ｇｌｏｂａｌ　Ｐｏｓｉｔｉｏｎｉｎｇ　Ｓｙｓｔｅｍ）といった既知の衛星測位システムを利用して、互いに同じ基準信号を得ることができ、これにより基準信号取得に関する信頼性を向上させることができる。
【００１２】
（３）送信側で変調部にてフレーム構造の伝送信号を変調して伝送路へ送出し、受信側で伝送路からの変調信号を受信する伝送システムに用いられ、送信側は、伝送信号のフレーム長とは異なる時間長の基準クロックで計時される基準時刻情報を取得する第１の基準時刻情報取得手段と、この第１の基準時刻情報取得手段で取得された基準時刻情報と伝送信号のフレーム長との最小公倍数に相当する期間を単位期間とし、この単位期間内でフレーム毎に互いに異なるように周期的に変化して、基準時刻情報の周期タイミングと各フレーム先頭との時間差が一意に決まる伝送信号を生成して変調部に供給する第１の伝送信号生成手段とを備え、受信側は、第１の基準時刻情報取得手段で取得される基準時刻情報と同一の基準時刻情報を取得する第２の基準時刻情報取得手段と、この第２の基準時刻情報取得手段で取得された基準時刻情報を用いて第１の伝送信号生成手段で生成される伝送信号と同一の伝送信号を生成する第２の伝送信号生成手段と、この第２の伝送信号生成手段で生成された伝送信号を変調し、この変調出力を遅延量が既知の基準伝送路に通して出力する基準変調信号出力手段と、伝送路からの変調信号と基準変調信号出力手段で得られる信号とを合成し、その合成信号をスペクトラム上または遅延プロファイル上で観測することにより、伝送遅延時間を測定する測定手段とを備えるようにしたものである。
【００１３】
（３）の発明によれば、送信側で基準時刻情報とフレーム長との最小公倍数に相当する単位期間内で基準時刻情報の周期タイミングと各フレーム先頭との時間差が一意に決まる伝送信号が生成され、この伝送信号が変調部によって変調され、この変調信号が伝送路を介して受信側に送出される。受信側では送信側と同一の基準時刻情報が取得されるとともに、この基準時刻情報を利用して送信側で得られる伝送信号が生成され、この伝送信号を変調し遅延量が既知の基準伝送路を通すことにより変調信号に等しい基準変調信号が生成される。以後、伝送路を介して得られる変調信号と基準伝送路を介して得られる基準変調信号とを合成し、この合成信号をスペクトラム上あるいは遅延プロファイル上で観測することにより、送信側から受信側へ伝送される変調信号の遅延時間が求められる。従って、上記（１）で得られる作用効果と同様に、特別な測定器を用いることなく、受信側では既知の遅延量が与えられる基準変調信号を生成するだけで、容易に伝送路における伝送遅延時間を測定することができ、これにより上記（１）に比して、伝送遅延時間を精度良く求めることができ、さらに遅延時間の測定に際し時刻情報の取得が不要となる分、処理負荷を軽減できる。
【００１４】
【発明の実施の形態】
以下、この発明の実施形態について図面を参照して詳細に説明する。
（第１の実施形態）
図１は、この発明の第１の実施形態に係わる伝送遅延時間測定システムを適用した、地上デジタル放送システムの概略構成を示すブロック図である。
【００１５】
図１において、ＧはＧＰＳ衛星であり、放送局１００Ａ及び受信側測定装置２００ＡはそれぞれＧＰＳ衛星Ｇからの１ｐｐｓ信号を受信するためのＧＰＳ受信機１０１，２０１を備えている。
放送局１００は、ＴＳ−ＴＥＳＴ信号生成装置１０２、ＯＦＤＭ変調装置１０３、送信装置１０４及び送信アンテナ１０５を備える。
【００１６】
ＴＳ−ＴＥＳＴ信号生成装置１０２は、ＧＰＳ受信機１０１から１ｐｐｓ信号を取込み、この１ｐｐｓ信号の時間長とフレーム長との最小公倍数に相当する単位期間内で、フレーム毎に互いに異なるように周期的に変化して、１ｐｐｓ信号の周期タイミングと各フレーム先頭との時間差が一意に決まるＴＳ（Ｔｒａｎｓｐｏｒｔ　Ｓｔｒｅａｍ）を生成し、このＴＳをＯＦＤＭ変調装置１０３に供給する。ＯＦＤＭ変調装置１０３は、入力されたＴＳをＯＦＤＭ信号に変調する。ここで得られたＯＦＤＭ信号は送信装置１０４で電力増幅されて送信アンテナ１０５から所定の領域に向けて送出される。
一方、受信側測定装置２００Ａにおいて、受信アンテナ２０２及び受信装置２０３は、上記放送局１００ＡからのＯＦＤＭ信号を受信し、この受信信号をＯＦＤＭ復調装置２０４に出力する。
【００１７】
ＯＦＤＭ復調装置２０４は、入力された受信信号を上記ＴＳに復調し、このＴＳを遅延測定装置２０５に出力する。遅延測定装置２０５は、１ｐｐｓ信号をＧＰＳ受信機２０１の出力から取得し、ＯＦＤＭ復調装置２０４によって得られるＴＳから単位期間とその単位期間内のフレームを特定し、この特定された単位期間内の各フレーム先頭と１ｐｐｓ信号の周期タイミングとの時間差を測定する。以後、測定された時間差とＴＳ−ＴＥＳＴ信号生成装置１０２によるＴＳの生成時に得られる既知の時間差との差分を求めることで、放送局１００Ａから受信側測定装置２００Ａへ伝送されるＯＦＤＭ信号の伝送遅延時間を求める。
【００１８】
上記構成において、以下にその処理動作を説明する。
１ｐｐｓ信号（一定の倍率の場合も含む）とフレーム同期との時間的関係は、１ｐｐｓ信号の時間長である１秒とフレーム同期の時間長との最小公倍数の時間内でフレームごとに異なる時間差をもつ。そこで、ＴＳ−ＴＥＳＴ信号生成装置１０２では、上記単位期間内で各フレーム先頭と１ｐｐｓ信号の周期タイミングとの時間差が一意に決められるＴＳを生成し、ＯＦＤＭ変調装置１０３に出力する。ＯＦＤＭ変調装置１０３は、ＴＳ−ＴＥＳＴ信号生成装置１０２からのＴＳをＯＦＤＭ信号に変調する。
【００１９】
そして、ＯＦＤＭ変調装置１０３の出力は、送信装置１０４及び送信アンテナ１０５を介して受信側測定装置２００Ａに送信される。受信側測定装置２００Ａでは、受信しＯＦＤＭ復調装置２０４で復調した伝送信号を遅延測定装置２０５に入力する。遅延測定装置２０５では、入力信号に含まれる特定フレーム（例えば単位期間内の３番目のフレーム）が検出されるとともに、その検出時の１ｐｐｓ信号がＧＰＳ受信機２０１の出力から得られ、この検出時の１ｐｐｓ信号と特定フレームとの時間差が遅延時間分ずれて測定される。このずれ量は、伝送遅延量に相当するため、これにより伝送遅延時間が測定可能となる。
【００２０】
以上のように上記第１の実施形態では、放送局１００ＡのＴＳ−ＴＥＳＴ信号生成装置１０２にてＧＰＳ受信機１０１から得られる１ｐｐｓ信号の周期タイミングとフレーム先頭との時間差が１ｐｐｓ信号の時間長とフレーム長との最小公倍数に相当する単位期間内で一意に決まるＴＳを生成してＯＦＤＭ変調装置１０３にてＴＳをＯＦＤＭ信号に変調させ、受信側測定装置２００Ａの遅延測定装置２０５により受信したＴＳから単位期間内のフレームを特定し、その特定フレームとＧＰＳ受信機２０１から得られる１ｐｐｓ信号の周期タイミングとの時間差を測定する。以後、遅延測定装置２０５では、測定した時間差と、既知の時間差との差分を求めることで、放送局１００Ａから受信側測定装置２００Ａへ伝送されるＯＦＤＭ信号の遅延時間を求めるようにしている。
【００２１】
従って、特別な測定器を用いることなく、受信側測定装置２００Ａでは受信信号から単位期間内のフレームを特定するだけで、フレーム同期と１ｐｐｓ信号との時間的関係を利用して容易にＯＦＤＭ信号の伝送遅延時間を測定することができる。
また、上記第１の実施形態によれば、放送局１００Ａ及び受信側測定装置２００Ａで、ＧＰＳ衛星Ｇからの１ｐｐｓ信号を受信して互いに同じ１ｐｐｓ信号を基準とすることができ、これにより時刻情報取得に関する信頼性を向上させることができる。
【００２２】
（第２の実施形態）
図２は、この発明の第２の実施形態に係わる伝送遅延時間測定システムを適用した、地上デジタル放送システムの概略構成を示すブロック図である。図２において、上記図１と同一部分には同一符号を付して詳細な説明を省略する。
【００２３】
放送局１００Ｂにおいて、ＧＰＳ受信機１０１はＧＰＳ衛星Ｇからの１ｐｐｓ信号に基づいて基準時刻、基準クロックを生成する。このうち、基準クロックは、ＴＳ−ＴＥＳＴ信号生成装置１０２、ＯＦＤＭ変調装置１０３及び送信装置１０４に供給され、それぞれの信号処理に供される。
【００２４】
一方、受信側測定装置２００Ｂにおいて、ＧＰＳ受信機２０１はＧＰＳ衛星Ｇからの１ｐｐｓ信号に基づいて基準時刻、基準クロックを生成する。このうち、基準クロックは、ＴＳ−ＴＥＳＴ信号生成装置２０６、基準ＯＦＤＭ変調装置２０７及び基準伝送部２０８に供給され、それぞれの信号処理に供される。また、基準時刻は、上記ＧＰＳ受信機１０１で得られる基準時刻と同一のものとする
ＴＳ−ＴＥＳＴ信号生成装置２０６は、ＧＰＳ受信機２０１から基準時刻及び基準クロックを取込み、この基準時刻に基づき１ｐｐｓ信号の時間長とフレーム同期との最小公倍数に相当する単位期間内で、１ｐｐｓ信号の周期タイミングと各フレーム先頭との時間差が一意に決まるＴＳを生成し、このＴＳを基準ＯＦＤＭ変調装置２０７に供給する。基準ＯＦＤＭ変調装置２０７は、入力されたＴＳを基準ＯＦＤＭ信号に変調する。ここで得られた基準ＯＦＤＭ信号は、基準伝送部２０８を介して加算部２０９に供給される。なお、基準伝送部２０８は、既知の遅延量を有する。そこで、この遅延量は例えば上記送信装置１０４の処理時間と上記受信装置２０３の処理時間とに合わせるようにすれば、送信アンテナ１０５から受信アンテナ２０２までの伝搬遅延時間のみを測定することが可能になる。
【００２５】
加算部２０９は、受信装置２０３から得られるＯＦＤＭ信号と、基準伝送部２０８を介して得られる基準ＯＦＤＭ信号とを加算し、その加算結果をスペクトラムアナライザ／遅延プロファイル測定装置２１０に出力する。スペクトラムアナライザ／遅延プロファイル測定装置２１０は、加算部２０９の加算出力をスペクトラム上または遅延プロファイル上で観測することにより、送信装置１０４、送信アンテナ１０５、受信アンテナ２０２及び受信装置２０３を経由したＯＦＤＭ信号の遅延時間を測定する。
【００２６】
上記構成において、以下にその処理動作を説明する。
すなわち、ＯＦＤＭ変調装置１０３と測定側となるスペクトラムアナライザ／遅延プロファイル測定装置２１０が場所として離れていたとしても、ＴＳ−ＴＥＳＴ信号生成装置１０２，２０６では、ＧＰＳ衛星Ｇからの１ｐｐｓ信号に基づく同じシーケンスで信号が生成される。このため、基準ＯＦＤＭ変調装置２０７には、ＯＦＤＭ変調装置１０３と同じ内容の信号を入力することが可能となり、これにより本系統、つまり送信装置１０４、送信アンテナ１０５、受信アンテナ２０２、受信装置２０３経由のＯＦＤＭ信号について遅延量の測定が可能となる。ただし、ＴＳ−ＴＥＳＴ信号生成装置１０２，２０６は、同じタイミングで信号を生成する必要がある。
【００２７】
スペクトラムアナライザ／遅延プロファイル測定装置２１０では、加算部２０９の加算出力をスペクトラム上または遅延プロファイル上で観測することにより、本系統のＯＦＤＭ信号の伝送遅延時間を測定する。この場合、遅延時間があると、その遅延時間に対する各キャリアの回転量が異なるので、本系統のＯＦＤＭ信号と基準ＯＦＤＭ信号とを合成すると各キャリアごとに合成ベクトルの向き、大きさに違いが生じることが観測される。この違いは、本系統のＯＦＤＭ信号の遅延量に相当するため、この遅延量からＯＦＤＭ変調装置１０３の処理時間を除く本系統のＯＦＤＭ信号の伝送遅延時間を測定することが可能となる。
【００２８】
以上のように上記第２の実施形態では、放送局１００ＢのＴＳ−ＴＥＳＴ信号生成装置１０２にて１ｐｐｓ信号の周期タイミングと各フレーム先頭との時間差が一意に決まるＴＳを生成しＯＦＤＭ変調装置１０３にてＴＳをＯＦＤＭ信号に変調させるともに、受信側測定装置２００ＢのＴＳ−ＴＥＳＴ信号生成装置２０６にて上記ＴＳ−ＴＥＳＴ信号生成装置１０２で得られるＴＳを生成し、このＴＳを基準ＯＦＤＭ変調装置２０７に対し基準ＯＦＤＭ信号に変調させて、その変調された基準ＯＦＤＭ信号を遅延量が既知の基準伝送部２０８に通して加算部２０９に出力する。そして、加算部２０９では、ＯＦＤＭ変調装置１０３で生成され、放送局１００Ｂから受信側測定装置２００Ｂへ伝搬されたＯＦＤＭ信号を入力し、このＯＦＤＭ信号と基準ＯＦＤＭ信号とを加算してスペクトラムアナライザ／遅延プロファイル測定装置２１０に出力する。以後、スペクトラムアナライザ／遅延プロファイル測定装置２１０は、加算部２０９の加算出力をスペクトラム上あるいは遅延プロファイル上で観測することにより、ＯＦＤＭ変調装置１０３の処理時間を除く、放送局１００Ｂから受信側測定装置２００ＢへのＯＦＤＭ信号の伝搬時間を測定するようにしている。
【００２９】
従って、上記第１の実施形態で得られる作用効果と同様に、特別な測定器を用いることなく、遅延量が既知の基準伝送部２０８を伝送する基準ＯＦＤＭ信号を利用してＯＦＤＭ変調装置１０３の処理時間を除いたＯＦＤＭ信号の伝搬に要する遅延時間のみを測定できるため、伝送遅延時間を精度良く求めることができる。
また、上記第２の実施形態によれば、スペクトラムアナライザ／遅延プロファイル測定装置２１０において、遅延時間の測定に際して、１ｐｐｓ信号の取得が不要となる分、処理負荷を軽減できる。
【００３０】
なお、上記第２の実施形態において、遅延時間が１フレーム以下であることが予めわかっている場合には、時刻のトリガーがＴＳ−ＴＥＳＴ信号生成装置１０２，２０６に同時に入力され、生成シーケンスが同じであるならば、測定対象系となるＯＦＤＭ信号中にフレーム単位の既知の遅延量を含ませるようにしても、同様に、ＯＦＤＭ信号の伝送遅延時間を測定することができる。
【００３１】
（その他の実施形態）
上記各実施形態では、地上デジタル放送システムの場合について説明したが、本発明はこれに限定されるものではなく、１秒とフレーム同期の時間長との最小公倍数の時間内でフレームごとに異なる時間差をもつ伝送信号を取り扱うものについても適用可能である。この場合、受信側で特定フレームを観測するだけで、伝送信号の伝送遅延時間を容易に測定することができる。
【００３２】
その他、放送局及び受信側測定装置の構成や種類、遅延時間測定方法等についても、この発明の要旨を逸脱しない範囲で種々変形して実施できる。
【発明の効果】
以上詳述したようにこの発明によれば、簡易な構成で、伝送区間における伝送信号の伝送遅延時間を容易に測定し得る伝送遅延時間測定システムを提供することができる。
【図面の簡単な説明】
【図１】この発明の第１の実施形態に係る地上デジタル放送システムの概略構成を示すブロック図。
【図２】この発明の第２の実施形態に係る地上デジタル放送システムの概略構成を示すブロック図。
【図３】従来考えられていた伝送遅延量を測定するためのシステム構成の一例を示すブロック図。
【符号の説明】
１００Ａ，１００Ｂ…放送局、
１０１，２０１…ＧＰＳ受信機、
１０２，２０６…ＴＳ−ＴＥＳＴ信号生成装置、
１０３…ＯＦＤＭ変調装置、
１０４…送信装置、
１０５…送信アンテナ、
２００Ａ，２００Ｂ…受信側測定装置、
２０２…受信アンテナ、
２０３…受信装置、
２０４…ＯＦＤＭ復調装置、
２０５…遅延測定装置、
２０７…基準ＯＦＤＭ変調装置、
２０８…基準伝送部、
２０９…加算部、
２１０…スペクトラムアナライザ／遅延プロファイル測定装置、
Ｇ…ＧＰＳ衛星。
【図１】
2004104237.tif 000003
【図２】
2004104237.tif 000004
【図３】
2004104237.tif 000005